(57)【要約】【課題】寒冷地の冬季においても、雨水枡との接続部を介した雨樋の凍結による破損を回避しつつ、雨水枡に雨水を排出することのできる寒冷地における雨樋構造を提供する。【解決手段】本発明の寒冷地における雨樋構造１０は、雨樋１２の下端部１２ａを地中において雨水枡１３に接続すると共に、地盤面１４より上方に位置する雨樋１２の下部から分枝管１５を設けて、これの下端開口１５ａを雨水枡１３の上端開口面１３ａに対向させ、且つ雨樋１２と分枝管１５との接続部分１６の内部に流路切替え弁１０を設けることによって構成される。また雨水枡１３の上端開口面１３ａは、格子蓋２１によって覆われている。【選択図】図１
2008208668.tif 000002
【特許請求の範囲】
【請求項１】
雨樋の下端部を地中において雨水枡に接続すると共に、地盤面より上方に位置する雨樋の下部から分枝管を設けて、これの下端開口を前記雨水枡の上端開口面に対向させ、且つ前記雨樋と前記分枝管との接続部分の内部に流路切替え弁を設けた寒冷地における雨樋構造。
【請求項２】
前記雨水枡の上端開口面が、格子蓋によって覆われている請求項１に記載の寒冷地における雨樋構造。
【発明の詳細な説明】
【技術分野】
【０００１】
本発明は、寒冷地における雨樋構造に関する。
【背景技術】
【０００２】
雨樋は、一般に塩化ビニル樹脂等の合成樹脂や、アルミニウム、胴、鉄などの金属製の薄板を用いて筒状に形成されるものである。このような雨樋は住宅等の建物の外壁に沿って、屋外に設けられるものであることから、例えば北海道や東北、北陸地方等の寒冷地においては、冬季に雪や氷などによって下端部が塞がれる場合があり、排水に支障が生じて溜まった雨水が凍結膨張することにより、雨樋が損傷する虞れがある。またこのような凍結膨張による損傷を防止できるようにした雨樋が種々開発されている（例えば、特許文献１、特許文献２参照）。
【特許文献１】特開平６−２３５２５０号公報
【特許文献１】特開２００１−３１１２７６号公報
【発明の開示】
【発明が解決しようとする課題】
【０００３】
一方、雨樋には、地中に設けた雨水枡と接続して用いられるものがあるが、寒冷地では、冬季に雨水枡に溜まった雨水が凍結すると、凍結の影響が雨水枡との接続部を介して雨樋に及ぶことにより、雨樋が破損し易くなるため、上述の破損対策だけでは不十分である。したがって、寒冷地では、冬季において、雨樋の下端部を雨水枡と接続することなく、建物の敷地内にそのまま垂れ流し状態としているのが現状である。
【０００４】
本発明は、寒冷地の冬季においても、雨水枡との接続部を介した雨樋の凍結による破損を回避しつつ、雨水枡に雨水を排出することのできる寒冷地における雨樋構造を提供することを目的とする。
【課題を解決するための手段】
【０００５】
本発明は、雨樋の下端部を地中において雨水枡に接続すると共に、地盤面より上方に位置する雨樋の下部から分枝管を設けて、これの下端開口を前記雨水枡の上端開口面に対向させ、且つ前記雨樋と前記分枝管との接続部分の内部に流路切替え弁を設けた寒冷地における雨樋構造を提供することを目的とする。
【０００６】
また、本発明の寒冷地における雨樋構造では、前記雨水枡の上端開口面が、格子蓋によって覆われていることが好ましい。
【発明の効果】
【０００７】
本発明の寒冷地における雨樋構造によれば、雨水枡との接続部を介した雨樋の凍結による破損を回避しつつ、雨水枡に雨水を排出することができる。
【発明を実施するための最良の形態】
【０００８】
図１〜図３に示す本発明の好ましい一実施形態に係る寒冷地における雨樋構造１０は、例えば北海道や東北、北陸地方等の寒冷地における住宅建物１１の敷地内に設けられ、冬季においても、住宅建物１１の外壁１１ａに沿って設けられた雨樋１２から雨水を雨水枡１３に、当該雨水枡１３との接続部を介した雨樋１２の凍結による破損を回避しつつ排出できるようにするために採用されたものである。
【０００９】
そして、本実施形態の雨樋構造１０は、雨樋１２の下端部１２ａを地中において雨水枡１３に接続すると共に、地盤面１４より上方に位置する雨樋１２の下部から分枝管１５を設けて、これの下端開口１５ａを雨水枡１３の上端開口面１３ａに対向させ、且つ雨樋１２と分枝管１５との接続部分１６の内部に流路切替え弁２０が設けられている。
【００１０】
また、本発明の雨樋構造１０では、雨水枡１３の上端開口面１３ａが、格子蓋２１によって覆われている。
【００１１】
本実施形態では、雨樋１２は、好ましくは合成樹脂からなり、円筒形状を有している。雨樋１２は、その下端部１２ａが、第１接続スリーブ１７を介して接続されたエルボー管１８によって形成されており、エルボー管１８の下端開口１８ａが雨水枡１３の側壁の中間部分のコンクリートに巻き込まれるようにして、雨水枡１３の中空内部と連通接続している。
【００１２】
また、本実施形態では、地盤面１４より上方に位置する雨樋１２の下部には、第２接続スリーブ１９と一体として形成され、斜め下方に延設すると共にさらに垂直下方に折れ曲がって、下端開口１５ａが雨水枡１３の上端開口面１３ａに対向する分枝管１５が、第２接続スリーブ１９を介して雨樋１２の途中に介在して設けられている。そして、第２接続スリーブ１９による雨樋１２と分枝管１５との接続部分１６の内部には、流路切替え弁２０が設けられている（図３参照）。流路切替え弁２０は、例えば特開２００５−１１３６１０号公報に記載の切替え弁と略同様の構成を備えており、例えば分枝管１５の分枝孔１５ｂの下部付近に設けた水平回動軸２２を中心として回動し、例えば第２接続スリーブ１９の外周面に設けた切替え用のハンドル（図示せず。）を用いて回動させることができるようになっている。すなわち、流路切替え弁２０の上端部分を、分枝管１５の分枝孔１５ｂの上縁部に当接せさて、分枝管１５を閉塞すると共に雨樋１２を開放させた、例えば春から秋における状態と、流路切替え弁２０の上端部分を、第２接続スリーブ１９の分枝孔１５ｂと対向する内側面に当接せさて、分枝管１５を開放すると共に雨樋１２を閉塞させた、例えば冬季における状態とを、流路切替え弁２０の回動によって切替えることができるようになっている。
【００１３】
さらに、本実施形態では、雨水枡１３は、例えば現場打ちコンクリート製やプレキャストコンクリート製の略六面体形状を有する公知のもので、上端開口面１３ａを地盤面１４に表出させた状態で、地中に埋設設置される。また本実施形態では、略正方形の上端開口面１３ａには、例えば金属製の格子蓋２１が、着脱可能に装着されている。
【００１４】
上述の構成を備える本実施形態の寒冷地における雨樋構造１０では、雨水の凍結の心配のない例えば春から秋の期間は、流路切替え弁２０を、分枝管１５を閉塞すると共に雨樋１２を開放させた位置に配置し、雨樋１２を介して流下する雨水を、エルボー管１８を介して雨水枡１３に排出し、雨水枡１３に一端貯留した後に、排出配管２３を介して下流側に排水する。
【００１５】
一方、雨水が凍結し易い例えば冬季においては、流路切替え弁２０を切り替えて、分枝管１５を開放すると共に雨樋１２を閉塞させた位置に配置し、雨樋１２を介して流下する雨水を分枝管１５に流入させて、雨樋１２の下端部１２ａから雨水枡１３に雨水が流入するのを遮断する。これによって、雨水枡１３に溜まった雨水の凍結が雨樋１２に及んで雨樋１２が破損するのを効果的に回避することが可能になる。また、分枝管１５に流入した雨水は、下端開口１５ａからこれと対向する上端開口面１３ａを介して、住宅建物１１の敷地内にそのまま垂れ流すことなく雨水枡１３に排出される。
【００１６】
したがって、本実施形態の寒冷地における雨樋構造１０によれば、寒冷地の冬季においても、雨水枡１３との接続部を介した雨樋１２の凍結による破損を回避しつつ、雨水枡１３に雨水を排出することが可能になる。また、分枝管１５に分岐した雨水を取水することにより、冬季においても、例えば散水用として雨水を有効利用することが可能になる。
【００１７】
なお、本発明は上記実施形態に限定されることなく種々の変更が可能である。例えば、雨水枡の上端開口面を覆って格子蓋を取り付ける必要は必ずしもない。
【図面の簡単な説明】
【００１８】
【図１】本発明の好ましい一実施形態に係る寒冷地における雨樋構造住の構成を説明する地中部分を断面図として示す側面図である。
【図２】本発明の好ましい一実施形態に係る寒冷地における雨樋構造住の構成を説明する地中部分を断面図として示す斜視図である。
【図３】雨樋と分枝管との接続部分の内部に設けられる流路切替え弁を例示する要部断面図である。
【符号の説明】
【００１９】
１０  寒冷地における雨樋構造
１１  住宅建物
１１ａ  住宅建物の外壁
１２  雨樋
１２ａ  雨樋の下端部
１２ｂ
１３  雨水枡
１３ａ  雨水枡の上端開口面
１４  地盤面
１５  分枝管
１５ａ  分枝管の下端開口
１５ｂ  分枝管の分枝孔
１６  雨樋と分枝管との接続部分
１７  第１接続スリーブ
１８  エルボー管
１８ａ  エルボー管の下端開口
１９  第２接続スリーブ
２０  流路切替え弁
２１  格子蓋
２２  水平回動軸
２３  排出配管
【図１】
2008208668.tif 000003
【図２】
2008208668.tif 000004
【図３】
2008208668.tif 000005